(57)【要約】【課題】容器から１つ又は複数のロッド形消費物品を取り出すための改善された手段を提供する。【解決手段】ロッド形の消費物品用の容器に関し、容器の上壁（８）は開口部（９）を備え、容器は、開口部の下方に配置された棚状突起（１２）をさらに備える。上壁（８）は、棚状突起（１２）に対して垂直方向において下方位置と上方位置との間で移動可能となっている。容器は内側のスライド（３）及び外側のシェル（２）を備え、スライドはシェル内に垂直方向に移動可能に配置され、シェル（３）は棚状突起（１２）を備え、スライド（２）は開口部をもつ上壁（８）を備え、棚状突起は切欠き（１９）を通ってスライド内へ突出する。【選択図】図２
2015514646.tif 000002
【特許請求の範囲】
【請求項１】
ロッド形の消費物品用の容器であって、
前記容器の上壁は開口部を備え、前記容器は、前記開口部の下方に配置された棚状突起をさらに備え、
前記上壁は、前記棚状突起に対して垂直方向において下方位置と上方位置との間で移動可能となっており、
前記容器は、内側のスライド及び外側のシェルを備え、前記スライドは前記シェル内に垂直方向に移動可能に配置され、前記シェルは前記棚状突起を備え、前記スライドは前記開口部をもつ前記上壁を備え、前記棚状突起は切欠きを通って前記スライド内へ突出する、ことを特徴とする容器。
【請求項２】
前記上方位置において、前記棚状突起の上端と前記上壁との間の距離は、前記ロッド形の消費物品の長さよりも大きく、結果として少なくとも１つの消費物品を前記棚状突起上に配置することができ、前記容器は、前記上壁が前記下方位置に戻った場合、前記棚状突起上に配置された前記少なくとも１つの消費物品が前記上壁の前記開口部を通って突出するように構成される、請求項１に記載の容器。
【請求項３】
前記容器は、内側のスライド及び外側のシェルを備え、前記スライドは前記シェル内に垂直方向に移動可能に配置され、前記スライド又は前記シェルの一方は、前記棚状突起を備え、前記スライド又は前記シェルの他方は、前記開口部を持つ前記上壁を備える、請求項１又は２に記載の容器。
【請求項４】
前記スライドは、前記シェルの前記棚状突起のための前記切欠きを備える底壁を有する、請求項１から３の何れか１つに記載の容器。
【請求項５】
前記シェルは、前記消費者が前記スライドに係合することを可能にする切欠きを備える、請求項１から４の何れか１つに記載の容器。
【請求項６】
前記消費物品の下方に弾性手段が設けられる、請求項１から５の何れか１つに記載の容器。
【請求項７】
停止手段により、前記上壁が上方位置で完全に停止することが可能になり、結果として前記上壁は前記上方位置でその持ち上げ端位置にある、請求項１から６の何れか１つに記載の容器。
【請求項８】
前記容器は、該容器の直立方向に延びる複数の消費物品を備え、前記容器の幅及び深さは、前記容器の長手方向長さよりも小さい、請求項１から７の何れか１つに記載の容器。
【請求項９】
前記棚状突起は、前記容器の２つの側壁に隣接して配置される、請求項１から８の何れか１つに記載の容器。
【請求項１０】
前記棚状突起の大きさは、１つの消費物品だけを、長手方向軸が前記直立方向に延びた状態で、前記棚状突起上に配置するようになっている、請求項１から９の何れか１つに記載の容器。
【請求項１１】
前記上壁が前記上方位置にある場合、前記消費物品の前記移動を助長するために、前記容器の側壁が前記棚状突起に向かって移動可能である、請求項１から１０の何れか１つに記載の容器。
【請求項１２】
前記移動可能な側壁を前記棚状突起の方向に弾性的に付勢するように構成された弾性手段が設けられる、請求項１１に記載の容器。
【請求項１３】
前記上壁の前記開口部は、前記上壁の移動時にすぐに使用可能な蓋により覆われる、請求項１から１２の何れか１つに記載の容器。
【請求項１４】
前記容器は、内側ライナーに包まれた数個の消費物品を備え、前記内側ライナーは、該内側ライナーの開放を助長するための穿孔線を備える、請求項１から１３の何れか１つに記載の容器。
【発明の詳細な説明】
【技術分野】
【０００１】
本発明は、ロッド形の消費物品、詳細にはシガレットのような喫煙物品のための容器に関する。
【背景技術】
【０００２】
従来技術において、容器内の消費物品のための持ち上げ手段、詳細にはシガレット及びシガーのような喫煙物品のための持ち上げ手段が公知である。
【０００３】
一般に、喫煙物品、特にシガレットのような細長いロッド形の消費物品の包装は、非常にコンパクトになる傾向がある。これは、包装の中身を適切に保護するとともに、材料の必要量を低減するのに役立つ。これにより、費用及び廃棄物を低減することができる。それにも関わらず、摩擦力に起因して、満杯のパックから最初の消費物品、詳細には喫煙物品を取り出すには、後続の消費物品よりも大きな力が必要であり、この摩擦力は、消費物品を取り出す際に悪影響を与える可能性がある。さらに、一部の消費者は、喫煙物品のフィルター端部に触れることを好まない。
【０００４】
従来技術には、喫煙物品用の容器が開示される。この容器の構造によれば、喫煙物品の長手方向における容器の寸法は喫煙物品の長さよりも長く、結果として喫煙物品は容器内で上下移動する。容器の開口部の真下の底部には段部が設けられており、喫煙物品は、容器を振ることによって段部上に整列することができ、消費者が把持できるように開口部を通って突出する。
【０００５】
フランス国公開特許１２０３１９６には、ボックスと、このボックスの内側に配置されて垂直方向に移動可能なスライドとを備える、包装物品を半自動的に分配するための厚紙容器が開示されている。把持手段を引っ張ってスライドを持ち上げた場合、スライドに結合されたフラップは物品に係合することができる。従って、物品は、ボックスの外へ持ち上げることができる。
【０００６】
英国公開特許１３７５３９３には、シガレットのような物品のための分配器が開示されており、分配器は、パッケージ内のシガレットに係合する一体アームを備えたスライダーの形態の排出装置が設けられる。
【先行技術文献】
【特許文献】
【０００７】
【特許文献１】フランス国公開特許１２０３１９６
【特許文献２】英国公開特許１３７５３９３
【発明の概要】
【発明が解決しようとする課題】
【０００８】
本発明の目的は、容器から１つ又は複数のロッド形消費物品を取り出すための改善された手段を提供することである。
【課題を解決するための手段】
【０００９】
本発明によれば、ロッド形の消費物品用の容器が提供され、容器の上壁は開口部を備え、容器は、開口部の下方に配置された棚状突起をさらに備え、上壁は、棚状突起に対して垂直方向において下方位置と上方位置との間で移動可能となっている。容器は、内側のスライド及び外側のシェルを備え、スライドはシェル内で垂直方向に移動可能に配置され、シェルは棚状突起を備え、スライドは開口部をもつ上壁を備え、棚状突起は切欠きを通ってスライド内へ突出する。切欠きは、ブランクの切り込み線によって形成すること、又は任意の別のタイプの開口部とすることができる。詳細には、シェルは、底壁及び側壁を備える。
【００１０】
上壁が垂直方向に移動可能であるので、容器の高さ、又は棚状突起に対する容器内の消費物品の位置を変更することができ、結果として、例えば上壁が上方位置にある場合、容器を振るは又は傾けることによって少なくとも１つの消費物品を棚状突起上に配置することができる。上壁が下方位置へ戻った場合、少なくとも１つの消費物品は、棚状突起上に留まったままで、棚状突起の上方に配置された開口部を通って突出する。従って、消費者は、少なくとも１つの消費物品を把持することができる。他の消費物品は、上壁によって覆われて保護されたままであり、容器の内側で動かない。
【００１１】
本発明による容器の構成要素の相対位置を説明するのに使用する「前部（ｆｒｏｎｔ）」、「後部（ｂａｃｋ）」、「上方（ｕｐｐｅｒ）」、「下方（ｌｏｗｅｒ）」、「側部（ｓｉｄｅ）」、「上部（ｔｏｐ）」、「底部（ｂｏｔｔｏｍ）」という用語、及び他の用語は、上端に開口部を有する直立位置にある容器を参照する。「左」及び「右」という用語は、直立位置にある容器を前から見た場合に、容器の左側壁及び右側壁に関連して使用する。容器に収容された消費物品は、容器の上端から取り出す井ことができる。「長手方向（ｌｏｎｇｉｔｕｄｉｎａｌ）」という用語は、底部から上部まで又はその逆、即ち直立配向での容器の高さを定める垂直方向を意味する。「横方向」という用語は、前側壁又は後側壁を横切って長手方向に直角な方向を意味する。
【００１２】
ロッド形の消費物品は、特に実質的に容器の垂直な長手方向に延びる。開口部の大きさは、開口部から棚状突起への方向で少なくとも棚状突起の投影の大きさであることが好ましい。詳細には、開口部の大きさは、実質的に消費物品の断面に対応し又はこれよりも少し大きい。消費物品は、円形断面の円柱形であることが好ましい。詳細には、消費物品は、シガレットの形態の喫煙物品である。
【００１３】
上方位置において、棚状突起の上端と上壁との間の長手方向距離は、ロッド形の消費物品の長さよりも大きく、少なくとも１つの消費物品を棚状突起上に配置できるようになっており、容器は、上壁が下方位置に戻った場合に、棚状突起上に配置された少なくとも１つの消費物品が上壁の開口部を通って突出するように構成される。従って、上方位置にある上壁によって、消費物品は棚状突起上へ移動することが可能となる。
【００１４】
１つの実施形態において、容器は内側のスライド及び外側のシェルを備え、スライドはシェル内に垂直方向に移動可能に配置され、スライド又はシェルの一方は棚状突起を備え、スライド又はシェルの他方は開口部をもつ上壁を備える。棚状突起は、スライド又はシェルに対して一体的な部分又は追加的な部分とすることができる。
【００１５】
詳細には、シェルは、少なくとも部分的にスライドを取り囲む。
【００１６】
シェルは、上壁及び側壁を備え、開放した底部を有することができ、スライドは底壁、少なくとも１つの側壁及び棚状突起を備えることができる。従って、容器の高さは変更することができ、それにより、スライドに対して上壁即ちシェルを持ち上げた場合、棚状突起上に少なくとも１つの消費物品を配置することが可能となる。
【００１７】
スライドは、シェルの棚状突起のための切欠きをもつ底壁を有することが好ましい。詳細には、切欠きは、さらにスライドの少なくとも１つの側壁に、好ましくはスライドの２つの隣接する側壁に延びることができる。スライドは、底壁と上壁とを結合する少なくとも１つの側壁を備えることが好ましい。
【００１８】
詳細には、棚状突起は、シェルの折り曲げ縁部により形成することができる。シェルの垂直方向に延びる縁部に広がる直角方向に延びる切り込みを設けることができ、切り込みの下方のセクションをシェルの内側に向かって折り曲げて棚状突起を設けることができる。代替的に、棚状突起は、シェルの垂直方向に延びる縁部に取り付けた追加の要素又はフラップによって形成することができる。
【００１９】
１つの実施形態において、シェルには、垂直方向に延びる縁部に広がる２つの平行な切り込みが設けられており、切り込み線の間にあるシェルの一部分をシェルの内側に向かって折り曲げて棚状突起を形成することができる。従って、棚状突起を提供するシェルの縁部の下端の位置はそのままである。このことは、好都合には直立位置に起立する場合の容器の安定性が改善する。
【００２０】
１つの実施形態において、消費物品の下方に弾性要素が設けられる。弾性要素は、消費物品を移動可能な上壁に向かって付勢するようになっていることが好ましい。この実施形態では、上壁を下方位置に向かって移動させると弾性要素が圧縮される。また、棚状突起上に配置された１つ又はそれ以上の消費物品を除いて、各消費物品も下方位置に移動させることができ、棚状突起上に配置された消費物品は、それらの最初の位置に留まり、上壁が下方位置に移動した場合に上壁の開口部から突出する。上壁を解放すると、消費物品の下方に設けた弾性要素は、上壁を上方位置へ押し戻すことができる。弾性要素は、例えばバネ又は発泡材ブロックとすることができる。移動可能な底壁は、弾性要素と消費物品との間に設けることが好ましい。
【００２１】
１つの実施形態において、弾性手段は、シェルの底壁とスライドの底壁との間に設けられる。弾性手段は、詳細にはスライドの底壁をシェルの底壁から離れるように付勢することにより、上壁を持ち上げるための力を与えることが好ましい。弾性手段は、詳細にはバネ又は発泡材ブロックとすることができる。解除可能なロック手段は、スライドを下方位置に保持することができる。特に、消費者は、例えばシェルに対してスライドを相対的に移動させか又は容器の壁部に圧力を加えることにより、解除可能なロック手段を作動させることができ、その結果、弾性手段は、スライドを持ち上げるための力を付与する。
【００２２】
別の実施形態において、弾性手段は、上壁を下方位置に下降させる力を与えることができ、結果として容器は自動的に最初の位置へ戻る。
【００２３】
別の実施形態において、シェルは、消費者がスライドに係合することを可能にする切欠きを備える。従って、切欠きによって、消費者は、スライドがシェル内に配置される間にその前側壁又は後側壁の側部を把持することができる。特に、シェルの対向する壁に切欠きを設けて、２つの対向する側からスライドを把持することができる。従って、詳細にはスライドに弾性手段等からの他の力が加わらない場合、消費者は、切欠きを利用してスライドを簡単に移動させることができる。
【００２４】
１つの実施形態において、停止手段は、上壁が上方位置の持ち上げ端位置にあるように、上壁を上方位置で完全に停止させることが可能である。詳細には、完全停止により、通常条件下では上壁が上方位置よりもさらに持ち上がることが阻止される。さらに、完全停止により、上壁が上方位置にロックされて、スライド又はシェルに加わる上壁を降下させるための所定の力を越えるまでロック状態に維持することができる。
【００２５】
完全停止により、容器が不注意でバラバラになることが防止される。詳細には、シェルの側壁及びスライドの側壁に設けられ、異なる方向に延びて上方位置で互いに係合するようになった各フラップは、停止手段を構成することができる。
【００２６】
１つの実施形態において、容器は、直立状態で容器の長手方向に延びる複数の消費物品を備え、容器の幅及び深さは、容器の長手方向の長さよりも小さい。消費物品の長手方向の長さは、ロッド形の消費物品の主たる伸長方向である。詳細には、各消費物品は、長手方向が実質的に垂直方向に延びる状態で配置される。容器のこの形態により、容器が空に近い場合でも、消費物品が倒れること又は容器内で正しくない向きに並ぶことが防止される。さらに、容器をこの形態により、消費物品が棚状突起の隣で実質的に所望の長手方向を向いているので、後続の消費物品の棚状突起上への配置が助長される。
【００２７】
１つの実施形態において、棚状突起は、容器の２つの側壁に隣接して配置される。詳細には、棚状突起は、容器の縁部を規定する折り曲げ線に配置される。従って、２つの隣接する側壁が、棚状突起上の消費物品の位置を定める。棚状突起は、容器の２つの側壁に結合されるか又は底壁に結合される。
【００２８】
上壁が下方位置にある場合、容器の底部から棚状突起までの距離は、下方位置にある上壁と上方位置にある上壁との相対距離と実質的に同じ又はこれより小さいことが好ましい。従って、下方位置にある上壁の開口部を通る消費物品の突出長さは、棚状突起の高さと実質的に同じ又はこれよりも小さい。さらに、高さが異なる別々の棚状突起を設けることができ、結果として上壁の１つ又は複数の開口部を通る、持ち上げ高さが異なる複数の消費物品が提供される。
【００２９】
１つの実施形態において、棚状突起の大きさは、長手方向軸が直立方向に延びる１つの消費物品だけが棚状突起に配置されるようになっている。従って、容器の持ち上げ特徴部の各作動は、消費者に１つの独立した消費物品を提供し、消費者はこれを簡単に把持することができる。しかしながら、他の実施形態において、長手方向軸が平行に延びる複数の消費物品を棚状突起に配置することもできる。詳細には、２つ、３つ、４つ、５つ、又はそれ以上の消費物品を棚状突起上に同時に配置することができる。
【００３０】
１つの実施形態において、容器の側壁と消費物品との間に位置付けられた追加の側壁が設けられ、追加の側壁は、棚状突起に向かって移動可能になっている。これにより、上壁が上方位置にある場合、消費物品が棚状突起上へ移動することが助長される。一部の実施形態では、消費者は移動可能な側壁を移動させることができる。従って、特に外側のシェルには、スライドの側壁への消費者のアクセスを可能とする開口部が設けられる。移動可能な側壁は、横方向で棚状突起の反対側にある側壁とすることが好ましい。側壁が移動できる方向は、詳細には下方位置と上方位置との間の、上壁の持ち上げ方向に対して実質的に直直な方向である。
【００３１】
移動可能な側壁を設ける代わりに、消費物品は重力により、特に容器を傾けることだけで棚状突起上に移動することができる。
【００３２】
１つの実施形態において、追加の側壁と容器の外側の側壁との間に弾性手段が設けられ、弾性要素は、移動可能な側壁を棚状突起の方向に付勢するようになっている。弾性手段は、具体的にはバネ又は発泡材ブロックとすることができる。好ましくは、移動可能な側壁はスライドの一部であり、弾性手段は、スライドの平行な側壁とシェルとの間に配置される。
【００３３】
１つの実施形態において、上壁の開口部は、上壁の移動時にすぐに使用可能な蓋によって覆われる。特に「すぐに使用可能な」は、蓋が、開口部を通って持ち上げられる、突出する消費物品が付与する力によって開くか、又は容器の残りの部分に対する上壁の相対移動によって開くようになっていることを意味する。詳細には、蓋は、開口部の１つの縁部からヒンジ式に垂れ下がったヒンジ式の蓋である。
【００３４】
１つの実施形態において、容器は、内側ライナーに収容された複数の消費物品を備え、内側ライナーには、その開放を助長する穿孔線が形成される。内側ライナーにより、消費物品を容器内に包装することが容易になる。内側ライナー内に消費物品の束を提供し、その後、少なくともスライド用ブランクで消費物品の束の周りを包むことができる。詳細には、少なくともスライド用ブランクで消費物品の周りを包み、その後、スライドをシェルで包むか又はその中に挿入することにより、スライドの周りにシェルを設ける。さらに、内側ライナーは、特に消費物品の周りを密封する場合、消費物品を新鮮なままにする。内側ライナーの穿孔線は、１つの実施形態では容器内での相対移動により破ることができる。追加的に又は代替的に、内側ライナーには容器の開口部の領域に引張タブを設けて、内側ライナーを開放可能とすることができる。詳細には、引張タブに結合された内側ライナーのセクションを脆弱線によって境界を定め、結果として引張タブを引っ張ると内側ライナーが破れるようにすることができる。
【００３５】
容器の内部の消費物品は、容器を開放した際に容器の側壁の上縁の上方に見える内側ライナーで包むことができる。
【００３６】
本発明による容器は、直角長手方向縁部及び直角横方向縁部を有する直方体形状とすることができる。代替的に、容器は、１つ又はそれ以上の丸形（ｒｏｕｎｄｅｄ）長手方向縁部、丸形横方向縁部、傾斜付き長手方向縁部、又は傾斜付き横方向縁部、又はこれらの組合せを備えることができる。例えば、本発明による容器は、限定されるものではないが、−前側壁上の１つ又は２つの長手方向の丸形又は傾斜付き縁部、及び／又は
−後側壁上の１つ又は２つの長手方向の丸形又は傾斜付き縁部、
−前側壁上の１つ又は２つの横方向の丸形又は傾斜付き縁部、及び／又は
−後側壁上の１つ又は２つの横方向の丸形又は傾斜付き縁部、
−前側壁上の１つの長手方向丸形縁部及び１つの長手方向傾斜付き縁部、及び／又は
−後側壁上の１つの横方向丸形縁部及び１つの横方向傾斜付き縁部、
−前側壁上の１つ又は２つの横方向の丸形又は傾斜付き縁部、及び前側壁上の１つ又は２つの長手方向の丸形又は傾斜付き縁部、
−第１の側壁上の２つの長手方向の丸形又は傾斜付き縁部、又は第２の側壁上の２つの横方向の丸形又は傾斜付き縁部、
を含みことができる。
【００３７】
容器が１つ又はそれ以上の丸形縁部を備えかつ積層ブランクから作製される場合、ブランクは、組み立てられた容器で丸形縁部を形成するために３つ、４つ、５つ、６つ、又は７つの刻み目線又は折り目線を含むことが好ましい。刻み目線又は折り目線は、容器の内側上又は容器の外側上の何れかにあることができる。各刻み目線又は各折り目線は、互いに約０．３ｍｍから４ｍｍだけ離間することが好ましい。
【００３８】
各折り目線又は各刻み目線の間隔は、積層ブランクの厚さの関数であることが好ましい。各折り目線又は各刻み目線の間隔は、積層ブランクの厚さよりも約０．５から約４倍だけ大きいことが好ましい。
【００３９】
容器が１つ又はそれ以上の傾斜付き縁部を備える場合、傾斜が付いた１つ又はそれ以上の縁部の幅は、約１ｍｍから約１０ｍｍが好ましく、約２ｍｍから約６ｍｍがより好ましい。代替的に、容器は、容器の縁部上に２つの異なる傾斜部を形成するように離間した、３つの平行な折り目線又は刻み目線が形成する２重傾斜部を備えることができる。
【００４０】
横方向で矩形断面をもつ容器の代替として、容器の断面は、例えば、三角形、四角形、又は六角形のような多角形、或いは長円形、半長円形、円形、又は半円形とすることができる。
【００４１】
容器が傾斜付き縁部を備えかつ積層ブランクから作製される場合、傾斜部は、積層ブランク内の２本の平行な折り目線又は刻み目線により形成することができる。折り目線又は刻み目線は、第１壁と第２壁との間の縁部に対して対称に配置することができる。代替的に、折り目線又は刻み目線は、第１壁と第２壁の間の縁部に対して非対称に配置することができ、結果として傾斜部は、容器の第１壁内では容器の第２壁内よりもより遠くに延びる。
【００４２】
容器は、限定されるものではないが、厚紙、板紙、プラスチック、金属、又はこれらの組合せを含む任意の適切な材料から形成することができる。厚紙の重さは、平方メートル当たり約１００グラムから平方メートル当たり約３５０グラムであることが好ましい。
【００４３】
本発明による容器は、様々な消費物品のための包装として使用することができる。特に好ましい実施形態では、本発明による容器は、喫煙物品を包装するために使用される。本発明による容器には、喫煙物品を包装するのに使用することができる利点があり、喫煙物品は、限定されるものではないが、公知の着火端部シガレット、シガー又はシガリロ、可燃性燃料要素又は熱源及びエアロゾル形成基材を含む加熱式喫煙物品（例えば、米国特許第４，７１４，０８２号に開示された形式のシガレット）、及び電気喫煙システムと共に使用する喫煙物品（例えば、米国特許第５，６９２，５２５号に開示された形式のシガレット）を含む。
【００４４】
本発明による容器は、その寸法を適切に選択すれば、総数が異なる喫煙物品、又は配置が異なる喫煙物品を保持するように設計することができる。例えば、本発明による容器は、その寸法を適切に選択すると、総数が１０本から３０本の喫煙物品を保持するように設計することができる。
【００４５】
本発明による容器は、消費物品の１つ、２つ、３つ、４つ、又は５つの別々の束を保持することができる。別々の束は、前側壁及び後側壁に対して実質的に平行に、又は前側壁及び後側壁に対して実質的に直角に配置することができる。
【００４６】
喫煙物品は、束の内部で、喫煙物品の総数、喫煙物品の寸法又は容器の断面形状に応じて異なるコレーション（ｃｏｌｌａｔｉｏｎ）で配列することができる。例えば、喫煙物品は、束の内部で５本、６本、７本、８本、９本、又は１０本の単一の列に配列することができる。代替的に、喫煙物品は、２列又はそれ以上の列に配置することができる。２列又はそれ以上の列が収容する喫煙物品の本数は同じとすることができる。例えば、喫煙物品は、５本、６本、７本、８本、９本、又は１０本の２つの列、或いは５本、６本、７本、８本、９本、又は１０本の３つの列、或いは４本、５本、６本、又は７本の４つの列に配置することができる。代替的に、２つ又はそれ以上の列は、喫煙物品の収容本数が互いに異なる少なくとも２つの列を含むことができる。例えば、喫煙物品は、５本の列と６本の列（５−６）、６本の列と７本の列（６−７）、７本の列と８本の列（７−８）、５本の中央列と６本の２つの外側列（６−５−６）、５本の中央列と７本の２つの外側列（７−５−７）、６本の中央列と５本の２つの外側列（５−６−５）、６本の中央列と７本の２つの外側列（７−６−７）、７本の中央列と６本の２つの外側列（６−７−６）、９本の中央列と８本の２つの外側列（８−９−８）、又は６本の中央列、５本の１つの外側列及び７本の１つの外側列（５−６−７）に配列することができる。
【００４７】
本発明による容器は、同じ種類又は銘柄、又は異なる種類又は銘柄の喫煙物品を保持することができる。更に、フィルターなし喫煙物品及び様々なフィルタチップを持つ喫煙物品の両方、並びに長さが異なる（例えば、約４０ｍｍから約１８０ｍｍ）喫煙物品、直径が異なる（例えば、約４ｍｍから約９ｍｍ）喫煙物品を収容することができる。更に、各喫煙物品の風味の強度、吸引抵抗及び粒子状物質の総送出量は異ならせることができる。容器が１つ以上の束を備える場合、同じ容器内の各束は、以上で列挙したような同じ又は異なる種類の喫煙物品を保持することができる。
【００４８】
容器の寸法は、喫煙物品の長さ及び喫煙物品の丁合になっていることが好ましい。一般的に、容器の外径は、容器の内側に収容された喫煙物品の束の寸法よりも約０．５ｍｍから約５ｍｍだけ大きい。
【００４９】
本発明による容器の高さは、容器の上壁から底壁まで測定したとき、約６０ｍｍから約１５０ｍｍが好ましく、約７０ｍｍから約１２５ｍｍがより好ましい。
【００５０】
本発明による容器の幅は、容器の第１側壁から第２側壁まで測定したとき、約１２ｍｍから約１５０ｍｍが好ましく、約７０ｍｍから約１２５ｍｍがより好ましい。
【００５１】
本発明による容器の深さは、容器の前側壁から後側壁まで測定したとき、約６ｍｍから約１００ｍｍが好ましく、約１２ｍｍから約２５ｍｍがより好ましい。
【００５２】
容器の高さ対容器の深さの比は、約０．３対１から約１０対１が好ましく、約２対１から約８対１がより好ましく、約３対１から約５対１が最も好ましい。
【００５３】
容器の幅対容器の深さの比は、約１対１から約１０対１が好ましく、約２対１から約８対１がより好ましく、約２対１から約３対１が最も好ましい。
【００５４】
本発明による容器の外面は、製造業者又は銘柄ロゴ、商標、スローガン及びその他の消費者情報及び表示で印刷、エンボス、デボス、又は他の方法で装飾することができる。代替的に又は追加的に、本発明による容器の外面は、ラッカー、金属化、ホログラム、発光性材料、又は容器の感触、匂い、又は外観を変える任意の他の材料で少なくとも部分的に覆うことができる。
【００５５】
本発明による容器の内側ハウジングが喫煙物品の１つ又は以上の束を収容する場合、喫煙物品は、例えば金属箔又は金属化紙製の内側ライナーで包むことが好ましい。
【００５６】
容器が喫煙物品を備える場合、容器は、（例えば、灰又は吸い殻のための）廃棄物用仕切り、或いはマッチ、ライター、消火手段、気分転換剤、又は電子機器のような他の消費物品を更に含むことができる。その他の消費物品は、容器の外側に取り付け、喫煙物品と共に容器内に収容し、容器の個別の仕切りに収容し、又はこれらの組合せとすることができる。
【００５７】
本発明による容器は、充填されると、例えば、低密度又は高密度ポリエチレン、ポリプロピレン、配向ポリプロピレン、塩化ポリビニリデン、セルロースフィルム、又はそれらの組合せの透明ポリマーフィルムを用いて従来の方式で収縮包装し、又はそうでなければ他の方法で上包装することができる。本発明による容器を上包装する場合、上包装紙は、開封テープを含むことができる。開封テープは、容器の周りに横向きに配置され、開封テープを取り除くと開口部がアクセス可能となることが好ましい。代替的に、開封テープは、容器の周りに縦向きに設けることができる。
【００５８】
本発明は、以下に添付図面を参照して例示的な実施形態によって詳細に説明される。
【図面の簡単な説明】
【００５９】
【図１】本発明による容器の第１の実施形態の斜視図を示す。
【図２】喫煙物品が持ち上げられた本発明による容器の第１の実施形態の斜視図を示す。
【図３】上壁が上方位置にある容器の第１の実施形態の横断面図を示す。
【図４】上壁が下方位置にある容器の第１の実施形態の横断面図を示す。
【図５】第１の実施形態による容器のスライド用ブランクを示す。
【図６】第１の実施形態による容器のシェル用ブランクを示す。
【図７】持ち上げのための及び可動側壁のための弾性手段を備える容器の斜視図を示す。
【発明を実施するための形態】
【００６０】
図１には、本発明の第１の実施形態による容器１が示されている。容器は、シェル２と、該シェル２内で垂直の長手方向１００に摺動可能に配置されたスライド３とを備える。シェル２は、４つの側壁、即ち前側壁４、左側壁５、右側壁６（図３参照）、後側壁、及び底壁７を備える。詳細には、シェル２は上端が開放され、容器１は、上端がスライド３の上壁８により閉鎖されるが、上壁８は開口部９を備える。上壁８は容器の上壁を形成する。開口部９は、上壁８の２つの上縁に隣接して配置される。シェル２は、前側壁４の上方に切欠き１０をさらに備え、一部の実施形態では、シェル２の後側壁に対応する別の切欠きを設けることができる。切欠き１０によって、スライド３の側壁の少なくとも１つ、即ち前側壁１１を、一部の実施形態では後側壁を把持することができる。シェル２の側壁４と側壁５との間で長手方向に延びる縁部の下方領域には、棚状突起１２が設けられる。詳細には、棚状突起１２は、シェル２の縁部にわたってほぼ直角に延びる２つの平行な切り込み１３、１４によって形成される。従って、シェル２の側壁４、５の一部は内側に折り曲げることができ、この部分は、スライド３内へ突出して棚状突起１２を形成し、棚状突起１２には、詳細には喫煙物品の形態、より詳細にはシガレットの形態の少なくとも１つの消費物品１５を配置することができる。
【００６１】
図１には、持ち上げ過程の前の状態の容器１が示されている。スライド３、及び容器１の上壁を形成する上壁８は下方位置にある。図２において、スライド３はこの場合でも下方位置にあるが、消費物品１５は既に持ち上げられている。
【００６２】
容器１の概略断面図を示す図３及び４を参照して、持ち上げ過程及び容器１の詳細を説明する。
【００６３】
図１に示す段階から始まり、消費者は外側のシェル２を保持しながらスライド３を把持して、スライド３を持ち上げ、結果として図３に示すようにスライド３の上壁８は上方位置に配置される。スライド３は、上壁８に加えて前側壁１１及び後側壁を備え、左側壁１６、右側壁１７、及び底壁１８をさらに備える。スライド３が図３に示す上方位置にある場合、底壁１８は、長手方向１００において、シェル２の底壁７から少なくとも実質的に棚状突起１２の上縁の高さにある。従って、この持ち上げ構成では、消費物品１５は横方向２００に移動することができるので、少なくとも１つの消費物品１５は棚状突起１２上に配置される。消費物品１５の移動は、重力によって即ち棚状突起１２が設けられた容器の側部を少し下げることによって、又は加速力によって即ち容器１を振るか又は軽くたたくことによって行うことができる。
【００６４】
スライド３の下方位置において、各消費物品１５の下端が棚状突起１２よりも低い位置にあるので棚状突起１２上へ移動することができず、一方でスライド３の上壁８は消費物品１５の上方への移動を防止する。
【００６５】
内側スライド３は切欠き１９を備え、これにより少なくともスライド３の下方位置では、棚状突起１２はスライド３内へ突出することができる。従って、切欠き１９によって、スライド３はシェル２に対して相対的に垂直移動することができる。
【００６６】
少なくとも１つの消費物品１５が棚状突起１２上に配置された図３に示す容器１の状態から始まり、スライド３は、図４に示す下方位置へ再度下降することができる。従って、棚状突起１２上にはなくスライドの上壁８の下方に配置されたすべての消費物品は、スライド３と一緒に下方位置へ移動するが、棚状突起１２上に配置された少なくとも１つの消費物品１５は、上方位置において棚状突起１２上に留まると共にスライド３の上壁８に設けられた開口部９を通って突出する。従って、消費物品１５は、図４又は図２に示すように配置され、消費者は、開口部９を通って突出した少なくとも１つの消費物品１５を容易に把持することができる。
【００６７】
図５には、スライド３用のブランク２０が平面図で示されている。ブランク２０は、スライド３の前側壁１１を形成する前側壁パネル２１、スライド３の左側壁１６を形成する左側壁パネル２２、スライド３の後側壁を形成する後側壁パネル２３、及びスライドの右側壁１７を形成する右側壁パネル２４を備える。パネル２１、２２、２３、２４は、折り曲げ線を介して互いに垂れ下がっている。
【００６８】
固定タブ２５は、右側壁パネル２４から垂れ下がって垂直に延びており、特に接着剤によって前側壁パネル２１の内側に固定されるようになっている。ブランク２０は、前側壁パネル２１の上部から垂れ下がる内側上壁パネル２６と、後側壁パネル２３の上部から垂れ下がる外側上壁パネル２７とをさらに備える。外側上壁パネル２７は、内側上壁パネル２６の上部に折り曲げられるようになっており、結果としてそれらは一緒にスライド３の上壁８を形成する。切欠き２８が外側上壁パネル２７に設けられており、スライド３の開口部９を規定する。内側上壁パネル２６は、スライド３を形成するためにブランク２０を折り曲げた場合、内側上壁パネル２６が切欠き２８の領域には存在しないような形状である。組み立てられたスライド３では、内側上壁パネル２６及び外側上壁パネル２７は、接着剤によって互いに結合されている。
【００６９】
内側底壁パネル２９は、前側壁パネル２１の下側から折り曲げ線を介して垂れ下がり、外側底壁パネル３０は、後側壁パネル２３の下側から折り曲げ線を介して垂れ下がる。外側底壁パネル３０は、スライド３の切欠き１９の下部を形成する切欠き３１を備える。スライド３の切欠き１９の上部は、前側壁パネル２１と左側壁パネル２２との間にある折り曲げ線に設けた切欠き３２によって形成される。スライド３が組立状態にある場合、内側底壁パネル２９は切欠き３１の領域へ突出しないようになっている。内側底壁パネル２９と外側底壁パネル３０とは、一緒にスライド３の底壁１８を形成し、詳細には接着剤により互いに固定されている。さらに、後側壁パネル２３にはストッパーフラップ３４を形成するために切欠き３３が設けられる。ストッパーフラップ３４は、折り曲げ式で外側底壁パネル３０から垂れ下がっている。ストッパーフラップ３４は、シェル２の内側に設けられた突起又はフラップに係合するようになっており、シェル２内でスライド３の移動が完全に停止することを可能にしている。
【００７０】
図５（６）には、シェル２用のブランク３５が平面図で示される。シェル２用のブランク３５は、シェル２の前側壁４を形成する前側壁パネル３６、シェル２の左側壁５を形成する左側壁パネル３７、シェル２の後側壁を形成する後側壁パネル３８、及びシェル２の右側壁６を形成する右側壁パネル３９を備える。パネル３６、３７、３８、３９は、長手方向に配置された折り曲げ線を介して互いに垂れ下がっている。
【００７１】
さらに、内側フラップ４０は、後側壁パネル３８の上側から垂れ下がり、内側フラップ４０は、シェル２の組み立て状態で、後側壁パネル３８の内側に向かって折り曲げられる。好ましくは、内側フラップ４０は、接着剤で後側壁パネル３８の内側に固定される。シェル２に対してスライド３が上方位置にある場合、内側フラップ４０は、ストッパーフラップ３４に対する係合部を提供する。詳細には、この位置で、ストッパーフラップ３４の上縁は、内側フラップ４０の下縁に係合する。
【００７２】
内側底部パネル４１及び外側底部パネル４２は、それぞれ前側壁パネル３６の下側及び後側壁パネル３８の下側から垂れ下がり、組み立てられたシェル２の底壁７を形成する。内側底部パネル４１及び外側底部パネル４２は、接着剤で結合するようになっている。固定タブ４３は、右側壁パネル３９から折り曲げ線を介して垂れ下がり、前側壁パネル３６の内側に取り付けられるようになっている。さらに、ダストフラップ４４、４５は、左側壁パネル３７の下側及び右側壁パネル３９の下側に設けられている。ダストフラップ４４、４５は、内側底部パネル４１の上部に配置されるようになっており、ほこり及び粒子がシェル２に入ること又はここから出るのを防止する。前側壁パネル３６の上部には切欠き１０が設けられ、さらに別の切欠き４６が後側壁パネル３８及び内側フラップ４０に設けられ、これらのパネルの間の折り曲げ線に広がっている。詳細には、切欠き４６は、後側壁パネル３８と内側フラップ４０との間の折り曲げ線に対して対称に設けられている。
【００７３】
前側壁パネル３６と左側壁パネル３７との間の折り曲げ線を横切って、２つの平行な切り込み１３、１４が設けられ、それらは、折り曲げ線に対して直角に配置される。それぞれの切り込み１３、１４の端部は折り曲げ線４７、４８により結合され、結果として切り込み１３、１４及び折り曲げ線４７、４８は、ブランク３５の実質的に矩形の部分を形成する。組み立てられたシェル２では、切り込み１３、１４及び折り曲げ線４７、４８によって境界が定められる部分は、シェル２の内側に向かって折り曲げられて棚状突起１２を形成する。
【００７４】
図６（７）には、本発明による容器１の別の実施形態が示される。容器は、全体的には前述した実施形態の容器に対応し、前述した実施形態との相違点を以下に説明する。詳細には、シェル２の底壁７とスライド３の底壁１８との間に、好ましくはバネの形態である弾性手段４９が設けられている。弾性手段４９は、長手方向１００においてスライド３を上向きに付勢する。詳細には、スライド３及びシェル２の係合パネルのような、スライドを下方位置に維持するロック手段を設けることができるが、ロック手段、詳細にはパネルが解放された場合、スライドは、図６（７）に示す上方位置へ自動的に移動する。
【００７５】
図６（７）による実施形態の別の変更点は、スライド３の右側壁１７が横方向の幅方向２００に移動できる点である。これにより、スライド３が上方位置にある場合、図６（７）では明確化のために省略されている各消費物品を横方向に移動させることができ、結果として少なくとも１つの消費物品を棚状突起１２上に配置するという目的に適う。シェル２の右側壁６とスライド３の右側壁１７との間に、好ましくはバネの形態である弾性手段５０が設けられている。従って、消費物品１４（１５）は自動的に横方向の幅方向に移動する。しかしながら、代替的又は追加的に、別の実施形態では、シェル２の右側壁６に開口部を設けることができ、消費者は、スライド３の移動可能な右側壁１７に係合して圧力を加えて、消費物品を棚状突起１２上に移動させることができる。
【００７６】
弾性手段４９、弾性手段５０に関する特徴、及び右側壁６の開口部に関する特徴は、別個に有益な利点をもたらすので、互い独立して設けることもできることが明らかである。
【００７７】
スライド３の開口部９は、ヒンジ式の蓋５１によって覆うことができ、蓋５１は、スライド３の上壁８又は開口部９に隣接する何れかの側壁から折り曲げ線を介して垂れ下がり、蓋５１は、消費物品１５が棚状突起１２上に配置された状態でスライド３が下方位置に戻された場合、開口部９を通って突出する消費物品によって押されて自動的に開くようになっている。
【００７８】
実施形態及び図面には示さないが、特に喫煙物品の形態の消費物品は、詳細には開口部９及び棚状突起１２の領域に切り込み又は穿孔線を有する、内側ライナーに収容することができ、これにより、個々の消費物品１４（１５）は、棚状突起１２によって開口部９を通って移動することができる。さらに、この内側ライナーは、開口部９を通って突出して、消費者が容器の持ち上げ特徴部を最初に作動させる前に取り除くことができる引張タブを備えることがでる。棚状突起１２によって複数の消費物品を同時に持ち上げることができるが、持ち上げられ消費物品の数は、最初に容器内に供給された消費物品の総数の１０％又はそれ以下であることが好ましい。従って、持ち上げ動作によって消費物品の一部が持ち上げられるので、分配される消費物品は少量である。
【００７９】
ブランク２０、３５を形成するための好ましい材料は厚紙であるが、高分子又は金属等の他のシート状材料を同様に使用することができる。さらに、折り曲げ可能なブランクを使用せず、特に高分子射出成形法によって形成された、一体形成シェル又はスライドを提供することも可能である。
【００８０】
１つの実施形態において、シェルに対するスライドの最大持ち上げ高さは約１３ｍｍである。容器の長手方向１００の高さは、約８５ｍｍから約１０５ｍｍであることが好ましく、横方向の幅は、同様に約８５ｍｍであることが好ましい。容器の深さは、約１８ｍｍであることが好ましい。棚状突起の上縁は、シェルの底壁に対して約２４ｍｍの距離に配置することが好ましい。棚状突起に対するスライドの切欠きの高さは、棚状突起１２の上縁に対応する。シェルの前側壁及び後側壁の上縁に設けた切欠き１０、１４の高さは約１２ｍｍであることが好ましい。
【符号の説明】
【００８１】
２  シェル
３  スライド
８  上壁
９  開口部
１２  棚状突起
１９  切欠き
【図１】
2015514646.tif 000003
【図２】
2015514646.tif 000004
【図３】
2015514646.tif 000005
【図４】
2015514646.tif 000006
【図５】
2015514646.tif 000007
【図６】
2015514646.tif 000008
【図７】
2015514646.tif 000009
【国際調査報告】
2015514646.tif 000010
2015514646.tif 000011